(57)【要約】      （修正有）【課題】カバーを有し、筐体本体の側面に段差が設けられ、その段差にコネクタを接続する開口が設けられている電気機器において、カバーを外し易くする技術を提供する。【解決手段】電気機器は、電気部品を収容している筐体本体１０と、筐体本体の開口を塞ぐカバー２０を備えている。筐体本体には、側面１１に段差１２が設けられている。その段差は、側面の段差の上側が段差の下側よりも筐体本体の中心側にずれるように設けられている。また、その段差に、コネクタを取り付ける開口１３が設けられている。開口の周囲に、段差の下側の筐体本体の側面から開口まで通じる溝１４が設けられている。また、カバーの縁には、筐体本体の側面に沿って下方へ延びるフランジ２１が設けられている。フランジと溝は、筐体の側面に直交する平面上に位置している。【選択図】図４
2020025057.tif 000002
【特許請求の範囲】
【請求項１】
電気部品を収容している筐体本体と、
前記筐体本体の開口を塞ぐカバーと、
を備えており、
前記筐体本体には、側面に設けられた段差であって前記側面の当該段差の上側が当該段差の下側よりも前記筐体本体の中心側にずれている段差が設けられているとともに、コネクタを取り付ける開口が前記段差に設けられており、
前記開口の周囲に、前記段差の下側の前記側面から前記開口まで通じる溝が設けられており、
前記カバーの縁に前記側面に沿って下方へ延びるフランジが設けられており、前記フランジと前記溝は、前記側面に直交する平面上に位置している、電気機器。
【発明の詳細な説明】
【技術分野】
【０００１】
本明細書が開示する技術は、電気機器に関する。特に、電気機器の筐体本体の側面に段差が設けられているとともに、その段差にコネクタを取り付ける開口が設けられている電気機器に関する。
【背景技術】
【０００２】
特許文献１には、筐体本体のカバーを外し易くする工夫が施された電気機器が開示されている。特許文献１に開示された電気機器の筐体本体には、その上部開口を覆うカバーの縁に側方へ延びる締結部が設けられているとともに、締結部の先端から筐体の側面に沿って下方へ延びる延出部が設けられている。カバーを取り外す際、筐体本体の側面と延出部の間に工具を差し入れ、差し入れた箇所を起点にして工具の下端を上方へ回転させることでカバーを容易に外すことができる。
【０００３】
また、特許文献２には、筐体の側面にコネクタが接続されている電気機器が開示されている。
【先行技術文献】
【特許文献】
【０００４】
【特許文献１】特開２０１６−０８２０００号公報
【特許文献２】特開２０１５−２０４６８８号公報
【発明の概要】
【発明が解決しようとする課題】
【０００５】
本明細書は、筐体本体の側面に段差が設けられているとともに、その段差にコネクタを接続する開口が設けられている電気機器において、カバーを外し易くする技術を提供する。
【課題を解決するための手段】
【０００６】
本明細書が開示する電気機器は、電気部品を収容している筐体本体と、筐体本体の上部開口を塞ぐカバーを備えている。筐体本体には、側面に段差が設けられている。その段差は、側面の段差の上側が段差の下側よりも筐体本体の中心側にずれるように設けられている。また、その段差（上を向いている段差面）に、コネクタを取り付ける開口が設けられている。開口の周囲に、段差の下側の筐体本体の側面から開口まで通じる溝が設けられている。また、カバーの縁には、筐体本体の側面に沿って下方へ延びるフランジが設けられている。フランジと溝は、筐体の側面に直交する平面上に位置している。
【０００７】
上記の構造によれば、ドライバなどの工具の側部を溝に当接させつつ先端をフランジと筐体本体の側面との間に差し入れ、差し入れた箇所を起点にして工具の下端を回転させることでカバーを容易に外すことができる。工具の側部を溝に当接させることで、溝を設けない場合と比較して、筐体本体の側面に近い位置から工具の先端をフランジの内側に差し入れることができる。工具が差し入れ易くなるとともに、カバーを外し易くなる。
【０００８】
本明細書が開示する技術の詳細とさらなる改良は以下の「発明を実施するための形態」にて説明する。
【図面の簡単な説明】
【０００９】
【図１】実施例の電気機器の斜視図である。
【図２】図１の符号IIが示す囲み範囲の拡大図である。
【図３】段差の周辺を筐体側面の法線方向からみた図である。
【図４】図３のIV−IV線に沿った断面図である。
【図５】図４と同じ断面であってコネクタを取り付けた状態の断面図である。
【発明を実施するための形態】
【００１０】
図面を参照して実施例の電気機器を説明する。実施例の電気機器は、電気自動車に搭載される電力変換器２である。電力変換器２は、電源の直流電力を走行用モータの駆動電力に変換するデバイスである。電力変換器２は、走行用のモータを内蔵したトランスアクスルの上に固定される。
【００１１】
電力変換器２の筐体本体１０には、様々な電気部品が収容されている。筐体本体１０の上部の開口１０ａ（図４に図示）は、カバー２０で塞がれる。カバー２０は、複数のボルト９２で筐体本体１０に固定される。筐体本体１０はアルミニウムで作られており、カバー２０は鉄板で作られている。図中の座標系の＋Ｚ方向が「上」に相当する。
【００１２】
筐体本体１０の側面１１には、走行用のフロントモータに電力を供給するパワーケーブルのコネクタを接続するための開口１９が設けられている。また、筐体本体１０の側面１１には、段差１２が設けられており、その段差面１２ａには、走行用のリアモータに電力を供給するパワーケーブル４２のコネクタ４０を接続するための開口１３が設けられている。コネクタ４０の先端には貫通孔を有するタブ４１が設けられており、コネクタ４０は、タブ４１の貫通孔に挿通されるボルト９１で筐体本体１０に固定される。
【００１３】
段差１２について説明を補足する。図２に、図１の符号IIが示す囲みの範囲の拡大図を示す。段差１２は、側面１１の段差１２の上側部分１１ｂが、側面１１の段差１２の下側部分１１ａよりも筐体本体１０の中心側（図中の座標系の−Ｙ側）にずれているように設けられている。別言すれば、段差１２は、段差面１２ａが上を向くように設けられている。さらに別言すれば、段差１２は、段差１２よりも下側が上側よりも突出する形状である。
【００１４】
段差面１２ａの開口１３の周囲に溝１４が設けられている。溝１４は、筐体本体１０の側面１１から開口１３まで通じている。さらに、カバー２０には、その縁から側面１１に沿って下方へ延びるフランジ２１が設けられている。フランジ２１には切欠２２が設けられている。
【００１５】
溝１４とフランジ２１の関係とそれらの機能について説明する。図３に、筐体本体１０の側面１１をその法線方向（図中の座標系のＹ方向）からみた図を示す。図４に、図３のIV−IV線に沿った断面図を示す。図３と図４から理解されるように、溝１４とフランジ２１は、図中の座標系のＹＺ平面上に位置する。別言すれば、溝１４とフランジ２１は、筐体本体１０の側面１１に直交する平面上に位置している。より詳しくは、溝１４とフランジ２１は、筐体本体１０の側面１１及び底面の夫々と直交する平面上に位置している。
【００１６】
図３と図４の仮想線は、ドライバ５０である。カバー２０を筐体本体１０から外すのにドライバ５０を用いる。カバー２０と筐体本体１０の開口周囲との間は、液状ガスケット（ＦＩＰＧ：Formed In Place Gasket）２５によって封止されている。液状ガスケット２５は、筐体本体１０の開口１０ａの周囲とカバー２０の夫々に強く粘着する。従って、ボルト９２を外しただけではカバー２０は容易には筐体本体１０から引きはがすことができない。そこで、ドライバ５０の先端をカバー２０のフランジ２１と筐体本体１０の側面１１の間に差し入れ、差し入れた箇所を起点にドライバ５０を上方へ回転させる。てこの原理でフランジ２１を上方へ強く押し上げる力が働き、液状ガスケット２５を引き剥がし、カバー２０を筐体本体１０から離脱させることができる。
【００１７】
図４に示されているように、ドライバ５０の側部を溝１４の内側に当てることで、溝１４が設けられていない場合と比較して、ドライバ５０と側面１１のなす角度が小さくなる。別言すれば、ドライバ５０の側部を溝１４の内側に当てることで、ドライバ５０の先端をより側面１１に近い位置からフランジ２１と側面１１の間に差し入れることができる。溝１４によって、ドライバ５０の先端を差し入れ易くなる。さらに、ドライバ５０と側面１１とのなす角度が小さいほど、ドライバ５０を回転させたときにフランジ２１を上方へ押し上げる力が強くなり、カバー２０が外れ易くなる。カバー２０を外すための工具はドライバ５０に限定されない、尖った先端を有する棒状の工具であればよい。
【００１８】
図５に、図４と同じ断面であって、コネクタ４０（図１参照）を取り付けた状態の断面図を示す。なお、コネクタ４０の内部構造については図示を省略した。図５によく表れているように、フランジ２１が下方へ延びていることによって、コネクタ４０とフランジ２１は干渉しない。すなわち、筐体本体１０の形状に影響を与えずにフランジ２１を付加することができる。
【００１９】
段差面１２ａにて開口１３の周囲に設けた溝１４は、上記の効果のほか、段差面１２ａ上の水滴を側面１１へ誘導する機能も有する。溝１４は、段差面１２ａの上の水滴を開口１３の中へ滴下させないので、開口１３の内側の電気部品を水滴から保護することができる。
【００２０】
実施例で説明した技術に関する留意点を述べる。溝１４とフランジ２１は、筐体本体１０の側面１１及び底面の夫々と直交する平面上に位置していることが望ましい。ただし、溝１４とフランジ２１が位置する平面は、筐体本体１０の底面に直交する別の平面に対していくらかの角度を有していてもよい。
【００２１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２２】
２：電力変換器
１０：筐体本体
１０ａ：開口
１１：側面
１２：段差
１２ａ：段差面
１０ａ、１３、１９：開口
１４：溝
２０：カバー
２１：フランジ
２５：液状ガスケット
４０：コネクタ
５０：ドライバ
９１、９２：ボルト
【図１】
2020025057.tif 000003
【図２】
2020025057.tif 000004
【図３】
2020025057.tif 000005
【図４】
2020025057.tif 000006
【図５】
2020025057.tif 000007